(57)【要約】【課題】簡単な構成でありながら、注射針による針刺し事故を防止するとともに、針を保護して破損を防止できる注射針を提供する。【解決手段】注射針１０は、注射器本体に取り付けられる内筒１２と、その側面に沿って摺動可能な外筒３０により構成される。内筒１２の筒部１４の内側には、針２０を固定するための基部１６及び固定部１８が設けられ、筒部１４の外側面の端部１２Ｂ近傍には突起２４が設けられている。外筒３０は、閉口した端面３０Ｂの略中央部に所定長さの貫通孔３４を有する保持ガイド３２を備え、側面３０Ｃには突起２４と係合する略Ｌ字状の溝３６を備えている。溝３６内で突起２４が移動するように外筒３０をスライドさせると、針２０を外筒３０に対して出し入れできる。また、針２０を外筒３０内に最大に引き込んだときには、その先端が貫通孔３４によって保持されるため、折れや破損が防止できる。【選択図】図１
2009095392.tif 000002
【特許請求の範囲】
【請求項１】
一方の端部が開口した略筒状であって、閉口した端面の略中央に軸方向に針が固定されるとともに、開口端側が注射器本体に着脱可能に取り付けられる内筒，
一方の端部が開口した略筒状であって、閉口した端面の略中央に、前記針が貫通可能な所定長さの貫通孔を備えた保持部が設けられるとともに、前記内筒の外側面に沿って摺動可能な外筒，
前記内筒の外側面に設けられた突起，
前記外筒の側面に形成されており、前記突起が内側でスライドすることによって前記針が外筒に対して出し入れされる形状を有する溝，
を備えるとともに、
前記針を前記外筒内に最大に引き込んだときに、該針の先端が前記外筒の保持部の貫通孔によって保持されることを特徴とする注射針。
【請求項２】
前記針が外筒から出た状態及び前記針が外筒内に隠れた状態となる位置に、前記突起をそれぞれ固定する位置固定手段を前記溝に設けたことを特徴とする請求項１記載の注射針。
【請求項３】
請求項１又は２に記載の注射針を取り付けたことを特徴とする注射器。
【発明の詳細な説明】
【技術分野】
【０００１】
本発明は、注射針及びそれを利用した注射器に関し、更に具体的には、注射器本体に着脱可能な注射針の保護に関するものである。
【背景技術】
【０００２】
インスリン注射などのように医療分野で使用される注射器は、安全性を確保するため、使用前後や廃棄時には、キャップやカバーで注射針を覆うことが推奨されている。従来は、注射針とキャップは別々に用意されており、使用時にはキャップを取り外し、使用後には再びキャップを嵌めて処分している。しかしながら、細い針にキャップを嵌めるため、誤って指や手に針を突き刺すおそれがあるとともに、真っ直ぐにキャップを嵌めないと、針が折れたり曲がったりするという不都合もある。特に、身体が不自由な人や高齢者などではその傾向が強い。また、使用後の注射針による針刺し事故は、患者の血液から細菌やウイルスが医療従事者や医療廃棄物処理者に感染する原因ともなっている。
【０００３】
これに対し、下記特許文献１には、使用前後でキャップを取り外す必要のない誤刺防止機構をもつ注射器及び注射針が開示されている。当該技術によれば、注射器の針を被覆するための保護カバーの閉鎖端のほぼ中央に貫通孔を設け、注射器の使用前後には、注射器の先端を前記保護カバーの開放端から保護カバー内に挿入することによって針を保護カバーで被覆する。また、注射器の使用時には、保護カバーを前記注射器内に更に押し入れて、前記貫通孔から針を露出させることとなっている。
【特許文献１】特開２００６−１４９５１３号公報
【発明の開示】
【発明が解決しようとする課題】
【０００４】
しかしながら、前記特許文献１に記載の背景技術では、第２図及び第３図に示すように、注射器の使用前後の状態においては、針が保護カバー内に完全に収納されてしまう。すなわち、針の先端と保護カバーの端面内側との間に隙間が存在することになる。このため、前記保護カバーの貫通孔に針を通すときに、何らかの要因で針や保護カバーが斜めになったとすると、針が真っ直ぐに前記貫通孔を通らずに保護カバー端面に接触してしまい、スムースに保護カバーから露出させることができない。特に、インスリン注射に用いられる針のように、細径注射針の場合は、針自体が折れたり曲がったりして破損するという不都合も生じる。
【０００５】
本発明は、以上の点に着目したもので、その目的は、簡単な構成でありながら、注射針による針刺し事故を防止するとともに、針を保護して破損を防止することができる注射針とそれを利用した注射器を提供することである。
【課題を解決するための手段】
【０００６】
前記目的を達成するため、本発明の注射針は、一方の端部が開口した略筒状であって、閉口した端面の略中央に軸方向に針が固定されるとともに、開口端側が注射器本体に着脱可能に取り付けられる内筒，一方の端部が開口した略筒状であって、閉口した端面の略中央に、前記針が貫通可能な所定長さの貫通孔を備えた保持部が設けられるとともに、前記内筒の外側面に沿って摺動可能な外筒，前記内筒の外側面に設けられた突起，前記外筒の側面に形成されており、前記突起が内側でスライドすることによって前記針が外筒に対して出し入れされる形状を有する溝，を備えるとともに、前記針を前記外筒内に最大に引き込んだときに、該針の先端が前記外筒の保持部の貫通孔によって保持されることを特徴とする。
【０００７】
主要な形態の一つは、前記内筒の外側面に設けられた突起を、前記内筒の閉口端面寄りの位置に設けたことを特徴とする。更に他の形態の一つは、前記針が外筒から出た状態及び前記針が外筒内に隠れた状態となる位置に前記突起をそれぞれ固定する位置固定手段を前記溝に設けたことを特徴とする。本発明の注射器は、前記いずれかの注射針を取り付けたことを特徴とする。本発明の前記及び他の目的，特徴，利点は、以下の詳細な説明及び添付図面から明瞭になろう。
【発明の効果】
【０００８】
本発明は、閉口端面の略中央に針が固定された内筒と、その側面に沿って摺動可能な外筒によって注射針を構成し、前記外筒の側面に設けた溝に沿って前記内筒の側面に設けた突起をスライドさせることにより、前記針を外筒の閉口端面に設けた保持部の貫通孔から出し入れする。また、前記針を外筒内に最大に引き込んだときに、前記貫通孔によって針の先端を保持することとしたので、注射針の出し入れをガイドして破損などを防止するとともに、注射針による針刺し事故を防止できるという効果が得られる。
【発明を実施するための最良の形態】
【０００９】
以下、本発明を実施するための最良の形態を、実施例に基づいて詳細に説明する。
【実施例１】
【００１０】
最初に、図１及び図２を参照しながら本発明の実施例１を説明する。図１(A-1)は、針を出した状態を示す本実施例の斜視図，(A-2)は針を収納した状態を示す斜視図，(B-1)は前記(A-1)を＃Ａ−＃Ａ線に沿って切断し矢印方向に見た断面図，(B-2)は前記(A-2)を＃Ｂ−＃Ｂ線に沿って切断し矢印方向に見た断面図である。図２は、本実施例の外筒を示す図であり、(A)は外観斜視図，(B)は前記(A)を＃Ｃ−＃Ｃ線に沿って切断し矢印方向に見た断面図である。本発明の注射針は、使い捨て型やペン型のように、注射器本体に対して着脱可能となっている。図１に示すように、本実施例の注射針１０は、針２０が固定された内筒１２と、該内筒１２の外側に設けられた外筒３０により構成されている。前記針２０は、例えばニッケル及び金や、ＳＵＳなどにより形成されており、例えばインスリン注射用の場合は、内径が０．１２〜０．１３ｍｍ程度の細径のものが用いられる。
【００１１】
前記内筒１２は、一方の端部１２Ａ側が開口した略円筒状の筒部１４の内側に、断面略コ字状の基部１６が連続形成された構造となっている。前記基部１６の略中央部には、前記針２０を軸方向に固定するための固定部１８が設けられている。前記針２０は、前記固定部１８に軸方向に形成された貫通孔に挿通されており、例えば、内筒１２の内側から接着剤などにより固定されている。また、前記端部１２Ａには、前記外筒３０の端部を受けるための鍔部２２が径方向に突出形成されている。更に、前記筒部１４の外側面には、端部１２Ｂ寄りの位置に突起２４が設けられている。本実施例では、図１(B-1)及び(B-2)に示すように、前記突起２４は、対向する位置に２つ設けられている。
【００１２】
次に、前記外筒３０は、一方の端部３０Ａが開口し、他方の端部が開口した略円筒状であって、閉口した端面３０Ｂの略中央部には、前記針２０が貫通可能な貫通孔３４を有する保持ガイド３２が、前記端面３０Ｂから軸方向に突出するように形成されている。前記貫通孔３４は、図示の例では逆テーパ状となっており、前記針２０の出し入れをガイドするとともに、外筒３０内に引き込んだ針２０の先端を保持できるように、軸方向に所定の長さを有している。前記外筒３０の側面３０Ｃには、前記針２０の軸方向に形成された長手部３６Ａと該長手部３６Ａに略直交する短手部３６Ｂが連続した略Ｌ字状の溝３６が設けられている。本実施例では、前記長手部３６Ａ及び短手部３６Ｂの幅は、前記突起２４が収納可能であって、かつ、押し込みによってスライド可能となる程度に小さめに設定されており、前記溝３６の両端と角部には、前記長手部３６Ａ及び短手部３６Ｂよりも若干幅広の嵌合部３８Ａ，３８Ｂ，３８Ｃが形成されている。このように寸法を設定することによって、前記突起２４が前記嵌合部３８Ａ，３８Ｂ，３８Ｃに安定して嵌るようになる。
【００１３】
ここで、前記溝３６の長手部３６Ａの長さは、前記針２０を出し入れする長さに対応して設定されている。すなわち、前記突起２４が、長手部３６Ａの上端（嵌合部３８Ａ）に位置するときには、図１(A-1)及び(B-1)に示すように、針２０が外筒３０の保持ガイド３２から所定の長さ突出する。一方、前記突起２４が短手部３６Ｂに位置するときには、図１(A-2)及び(B-2)に示すように、針２０が外筒３０内に引き込まれる。このとき、前記針２０の先端が、前記保持ガイド３２の貫通孔３４内に位置するように突起２４や溝３６の位置を設定しておくことにより、針２０が確実に貫通孔３４を通るようになる。すると、スムースな針２０の出し入れが可能になるため、針２０が外筒３０の端面３０Ｂの内側に接触して折れたり破損したりするのを防止することができる。更に、前記外筒側面３０Ｃの外側の適宜位置には、操作時に指をかけるための略円形の凹部４０が形成されており、前記側面３０Ｃの内側の端部３０Ａ側には、外筒３０を内筒１２に被せるときに、前記突起２４を溝３６に嵌めやすくするための凹部４２が形成されている。以上のような内筒１２及び外筒３０は、例えば、プラスチックなどにより形成されている。
【００１４】
次に、本実施例の作用を説明する。まず、外筒３０の内側の凹部４２と内筒１２の突起２４の位置を合わせ、前記内筒１２を外筒３０に押し込み、前記突起２４を溝３６に嵌めて外筒３０を装着する。このとき、突起２４の先端に、内筒１２の閉口側から開口側に向かう傾斜が設けられているため、内筒１２を外筒３０に押し込む作業を容易に行うことができる。そして、前記突起２４を溝３６の嵌合部３８Ａに合わせた状態で、前記外筒３０の貫通孔３４及び内筒１２の固定部に針２０を挿通し、前記内筒１２の内側で接着剤などによって針２０を内筒１２に固定する。その後、まず外筒３０を軸方向にスライドさせて突起２４を長手部３６Ａの下端（嵌合部３８Ｂ）まで移動させ、次に、外筒３０を回転し、突起２４を短手部３６Ｂに沿ってスライドさせ嵌合部３８Ｃに固定する。この状態では、図１(A-2)及び(B-2)に示すように、針２０が外筒３０内に最大に引き込まれるとともに、該針２０の先端が保持ガイド３２の貫通孔３４によって保持されている。
【００１５】
注射針２０を使用するときには、内筒１２の端部１２Ａ側を図示しない注射器本体に取り付けてから、上述した収納動作と逆に、まず外筒３０を回転し、突起２４を短手部３６Ｂに沿って嵌合部３８Ｂまでスライドさせる。そして、前記外筒３０を軸方向にスライドさせて、突起２４を長手部３６Ａの端の嵌合部３８Ａに嵌める。すると、図１(A-1)及び(B-1)に示すように、針２０の先端が、外筒３０の保持ガイド３２から所定の長さ露出して使用可能な状態となる。注射針１０の使用後は、上述した収納動作を行い、針２０を外筒３０内に収納してから、注射器本体より取り外して廃棄する。
【００１６】
このように、実施例１によれば、次のような効果がある。
(1)内筒１２の側面に沿って摺動可能な外筒３０の側面に溝３６を形成し、該溝３６に沿って前記内筒１２の側面に設けた突起２４をスライドさせることにより、前記針２０を外筒３０に設けた保持ガイド３２の貫通孔３４から出し入れし、更に、前記針２０を外筒３０内に最大に引き込んだときに、前記貫通孔３４によって針２０の先端を保持することとした。このため、針２０を保護して折れや破損を防止するとともに、注射針による針刺し事故などを防止できる。
(2)前記溝３６の長手部３６Ａ及び短手部３６Ｂの幅を、突起２４が押し込みによってスライド可能となる程度に小さめに設定し、前記溝３６の端部及び角部に、前記長手部３６Ａ及び短手部３６Ｂよりも若干幅が大きい嵌合部３８Ａ〜３８Ｃを設けることとしたので、嵌合部３８Ａ〜３８Ｃにおいて突起２４の位置を固定することができる。
【実施例２】
【００１７】
次に、図３を参照しながら本発明の実施例２を説明する。なお、上述した実施例１と同一ないし対応する構成要素には同一の符号を用いることとする（以下の実施例についても同様）。図３は本実施例の断面図であり、(A)は針を出した状態を示す図，(B)は針を収納した状態を示す図である。本実施例の注射針５０は、基本的には、上述した実施例１と同様の構成となっており、内筒５２と外筒７０により構成されている。前記内筒５２は、略円筒状の筒部５４の内側に、基部５６が連続形成されており、該基部５６の略中央部には、該基部５６よりも軸方向に突出した固定部５８が形成されている。該固定部５８には貫通孔６０が設けられており、前記針２０が適宜手段で固定される。また、内筒５２の開放した端部５２Ａ側には鍔部６２が設けられており、筒部５４の適宜位置には突起６４が形成されている。
【００１８】
次に外筒７０は、一方の端部７０Ｂ側が開口した略円筒状であって、閉口した端面７０Ａの略中央部には、内側に向けて突出した保持ガイド７２が設けられている。該保持ガイド７２には略漏斗状の貫通孔７４が形成されており、該貫通孔７４によって針２０の出し入れのガイドと引き込み時の先端の保持が行われる。また、前記外筒７０の側面７０Ｃには、長手部７６Ａ，短手部７６Ｂ，嵌合部７８Ａ〜７８Ｃによって略Ｌ字状の溝７６が形成されている。本実施例のように、外筒７０の保持ガイド７２を内側に向けて突出形成するようにしても、上述した実施例１と同様の作用及び効果を得ることができる。
【００１９】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例１では、図４(A)に示すように溝３６を略Ｌ字状としたが、これも一例であり、図４(B)に示すように、略水平の短手部８０Ｂと湾曲した長手部８０Ａが連続した形状の溝８０としてもよい。また、図４(C)に示す溝８２のように、略水平の長手部８２Ａの両端に、逆方向に伸びた短手部８２Ｂ及び８２Ｃを設けてもよい。更に、図４(D)に示す溝８４のように、垂直部８４Ａが水平部８４Ｂの中央に接続した略Ｔ字状としてもよいし、図４(E)に示す溝８６のように、略垂直の長手部８６Ａの上端と下端にそれぞれ逆方向に延長した短手部８６Ｂ，８６Ｃを設けるようにしてもよい。あるいは、図４(F)に示す溝８８に示すように、略垂直方向に溝を形成し、その両端に嵌合部８８Ａ，８８Ｂを設けるようにしても、針２０の位置固定が可能となる。
【００２０】
(2)前記実施例で示した材料も一例であり、公知の各種の材料を用いて形成してよい。
(3)前記実施例１では、突起２４及び溝３６を２つずつ設けることとしたが、これも一例であり、突起及び溝の数は必要に応じて増減してよい。
(4)内筒における針２０の固定構造や、外筒の保持ガイドの構造も一例であり、同様の効果を奏するように適宜設計変更してよい。内筒，外筒，針の組立手順も同様に必要に応じて適宜変更してよい。
(5)本発明は、インスリン注射用，ペンニードル用，歯科麻酔用などの注射針が好適な利用例であるが、他の公知の各種の着脱式の注射針全般に適用可納である。
【産業上の利用可能性】
【００２１】
本発明によれば、内筒の側面に沿って摺動可能な外筒の側面に溝を形成し、該溝に沿って前記内筒の側面に設けた突起をスライドさせることにより、前記針を外筒に設けた保持ガイドの貫通孔から出し入れし、更に、前記針を外筒内に最大に引き込んだときに、前記貫通孔によって針の先端を保持することとしたので、注射針の用途に適用できる。特に、細径の針を利用する注射針や注射器の用途に好適である。
【図面の簡単な説明】
【００２２】
【図１】本発明の実施例１を示す図であり、(A-1)は針を出した状態を示す斜視図，(A-2)は針を収納した状態を示す斜視図，(B-1)は前記(A-1)を＃Ａ−＃Ａ線に沿って切断し矢印方向に見た断面図，(B-2)は前記(A-2)を＃Ｂ−＃Ｂ線に沿って切断し矢印方向に見た断面図である。
【図２】前記実施例１の外筒を示す図であり、(A)は外観斜視図，(B)は前記(A)を＃Ｃ−＃Ｃ線に沿って切断し矢印方向に見た断面図である。
【図３】本発明の実施例２を示す断面図であり、(A)は針を出した状態を示す図，(B)は針を収納した状態を示す図である。
【図４】本発明の他の実施例を示す図である。
【符号の説明】
【００２３】
１０：注射針
１２：内筒
１２Ａ，１２Ｂ：端部
１４：筒部
１６：基部
１８：固定部
２０：針
２２：鍔部
２４：突起
３０：外筒
３０Ａ：端部
３０Ｂ：端面
３０Ｃ：側面
３２：保持ガイド
３４：貫通孔
３６：溝
３６Ａ：長手部
３６Ｂ：短手部
３８Ａ，３８Ｂ，３８Ｃ：嵌合部
４０，４２：凹部
５０：注射針
５２：内筒
５２Ａ：端部
５４：筒部
５６：基部
５８：固定部
６０：貫通孔
６２：鍔部
６４：突起
７０：外筒
７０Ａ：端面
７０Ｂ：端部
７０Ｃ：側面
７２：保持ガイド
７４：貫通孔
７６：溝
７６Ａ：長手部
７６Ｂ：短手部
７８Ａ，７８Ｂ，７８Ｃ：嵌合部
８０，８２，８４，８６，８８：溝
８０Ａ，８２Ａ，８６Ａ：長手部
８０Ｂ，８２Ｂ，８２Ｃ，８６Ｂ，８６Ｃ：短手部
８４Ａ：垂直部
８４Ｂ：水平部
８８Ａ，８８Ｂ：嵌合部
【図１】
2009095392.tif 000003
【図２】
2009095392.tif 000004
【図３】
2009095392.tif 000005
【図４】
2009095392.tif 000006